(57)【特許請求の範囲】
【請求項１】
畦シートの一端を挟んで巻き取る巻取部と、前記巻取部の上流側に配置され前記畦シートの表面に付着した土を除去するための土除去部を備えた畦シート巻取装置であって、
前記土除去部が、前記畦シートより幅広に形成され前記畦シートの一方面の土を剥ぎ取り除去する第１のエッジ部と、当該第１のエッジ部よりも上流側に配置されると共に前記畦シートより幅広に形成され前記畦シートの他方面の土を剥ぎ取り除去する第２のエッジ部と、当該第２のエッジ部よりも更に上流側に配置され前記畦シートをこれらエッジ部に案内するガイド部を備え、
前記第１第２のエッジ部が、前記ガイド部と前記巻取部を結ぶ仮想線上から垂直方向の異なる位置にそれぞれ位置決めされると共に、
前記第２のエッジ部に対する前記ガイド部の位置及び／又は前記２のエッジ部に対する前記第１のエッジ部の位置を調整することができる調整機構が備わる
ことを特徴とする畦シート巻取装置。
【請求項２】
請求項１において、
前記巻取部には、異幅の前記畦シートに対応するための巻取幅調整機構が備わる
ことを特徴とする畦シート巻取装置。
【請求項３】
請求項１又は２において、
前記ガイド部には、異幅の前記畦シートに対応するためのガイド幅調整機構が備わる
ことを特徴とする畦シート巻取装置。
【請求項４】
請求項１〜３のいずれかにおいて、
前記第１のエッジ部及び／又は前記第２のエッジ部がＬ字型アングル部材で構成され、当該Ｌ字型アングル部材の両側端面の厚みが異なるように形成されている
ことを特徴とする畦シート巻取装置。
【請求項５】
ベースフレーム上に軸支された中空パイプと、
当該中空パイプの一端に取り付けられたクランクハンドルと、
前記中空パイプの一端側に固定された第１の規制板と、
前記中空パイプの他端側に取り外し可能に固定された第２の規制板と、
前記中空パイプの長手方向に当該中空パイプの内外を貫通するように且つ前記中空パイプの他端側に開口するように形成された畦シート挟み込みスリットと、
前記ベースフレームに連結され畦シートの上流側に向かって斜め上方に平行に配置された２本のサブフレームと、
当該２本のサブフレームに当該サブフレームの長手方向にスライド可能に架設された第１のエッジ部と、
前記２本のサブフレームに且つ前記第１のエッジ部よりも上流側に固定架設された第２のエッジ部と、
前記２本のサブフレームに且つ前記第２のエッジ部よりも更に上流側に当該サブフレームの長手方向にスライド可能に架設されたガイド部と、を備える
ことを特徴とする畦シート巻取装置。
【発明の詳細な説明】
【技術分野】
【０００１】
本発明は、水田の畦に使用する畦シートの技術分野に関する。
【背景技術】
【０００２】
従来、蓄えられた水が水田の外部に漏れ出てしまうのを防止したり、土留め、更にはモグラ等の土中に穴を掘って生活する小動物の行き来を遮断する等の目的で、水田の畦には畦シートが埋設される場合がある。この畦シートは、一般的に遅くとも秋の収穫時期が終わる頃には取り外される。取り外した畦シートを翌年以降も再利用する場合、付着した土を例えば水道水を掛けながらブラシでこすり落とす等して手巻きして保管する必要がある。また、場合によっては使い捨て利用されることもあるが、これはひとえに使用後の畦シートの土を落とし手巻きする作業が面倒であったことが原因である。
【０００３】
こういった問題点を解決するべく、畦シートを簡単に巻き取ることができる巻取装置が存在する（例えば特許文献１、２を参照）。
【０００４】
特許文献１に記載の畦シート巻取装置では、フレームに軸支された回動軸体に畦シートの一端を挟み込み、クランクハンドルを回すことで当該回動軸体に畦シートが巻回されるというものである。
【０００５】
一方、特許文献２に記載の畦シート巻取装置では、畦シートを巻取る巻取部の上流側に土除去部（平行に配置された２本の棒状体の隙間に畦シートを通過させることで畦シートに付着した土を除去する）が設けられ、付着した土を除去しながら巻き取ることが可能となっている。
【先行技術文献】
【特許文献】
【０００６】
【特許文献１】特開平１０−２３１０６３号公報
【特許文献２】実用新案登録第３１３８１０３号公報
【発明の概要】
【発明が解決しようとする課題】
【０００７】
しかしながら、特許文献１に記載の畦シート巻取装置では、畦シートを簡便に巻取ることはできても付着した土を落とすことはできない。即ち、別途予め土を除去してから畦シートを巻取る必要があるため、土を除去する作業そのものを軽減することはできない。
【０００８】
一方、特許文献２に記載の畦シート巻取装置では、確かに土除去部の存在により畦シートに付着した土を除去することはできるが、単に平行に固定配置された２本の棒状体の間に畦シートを通過させるに過ぎないため、巻き取ろうとする畦シートの状態によっては効率よく且つ確実に土を除去することができない。例えば、土の付着量、付着した土の乾燥状態、畦シート自体の幅や厚み、更には材質などによって、全ての状態に対応できるものではない。即ち、例えば、付着している土が未だ十分に乾燥していないような場合は土除去部を通過させたとしても表面に薄く土が残ってしまう。このような場合においては、土除去部を畦シートの表面に強く押し当てて除去する必要がある。
【０００９】
一方、確実な土の除去のために土除去部を畦シートの表面に強く押し付けると言うことは、換言すれば、畦シートの巻取り抵抗が増えることを意味する。即ち、巻取りに時間がかかってしまう。その結果、あまり強く押し付けなくとも十分に土の除去が可能な場合（例えば既に土が十分に乾燥しているような場合）においてまで巻取りに時間がかかるだけでなく、巻回時の（不必要な）強い抵抗は畦シート自体に対するストレスともなり、畦シートそのものの寿命を縮めることにもなりかねない。
【００１０】
そこで本発明は、巻き取ろうとする畦シートの状態に応じて、確実な土の除去を行いつつ、可能な限り迅速に畦シートを巻き取ることができる畦シート巻取装置を提供することをその課題としている。
【課題を解決するための手段】
【００１１】
上記課題を解決するべく、請求項１に記載の本願発明は、畦シートの一端を挟んで巻き取る巻取部と、前記巻取部の上流側に配置され前記畦シートの表面に付着した土を除去するための土除去部を備えた畦シート巻取装置であって、前記土除去部が、前記畦シートより幅広に形成され前記畦シートの一方面の土を剥ぎ取り除去する第１のエッジ部と、当該第１のエッジ部よりも上流側に配置されると共に前記畦シートより幅広に形成され前記畦シートの他方面の土を剥ぎ取り除去する第２のエッジ部と、当該第２のエッジ部よりも更に上流側に配置され前記畦シートをこれらエッジ部に案内するガイド部を備え、前記第１第２のエッジ部が、前記ガイド部と前記巻取部を結ぶ仮想線上から垂直方向の異なる位置にそれぞれ位置決めされると共に、前記第２のエッジ部に対する前記ガイド部の位置及び／又は前記２のエッジ部に対する前記第１のエッジ部の位置を調整することができる調整機構が備わることを特徴とする。
【００１２】
このような構成を採用したことによって、手巻きに比べて迅速に畦シートを巻き取ることが可能になることに加えて、畦シートの状態に応じて土の除去能力を最適に調整することができ、土を確実に除去しつつその範囲（土を確実に除去できる範囲）内でより迅速に畦シートを巻き取ることが可能となる。即ち、土の除去能力を高めたい場合には、第２のエッジ部と第１のエッジ部との距離（上記仮想線に沿う方向の距離）及び／又は第２のエッジ部とガイド部との距離（上記仮想線に沿う方向の距離）を縮めることによって実現できる。要するにガイド部から巻取部に至るまでの畦シートの流れに振幅を持たせその振幅する角度を鋭角化することによってエッジ部と畦シート表面との当接する圧力を上げ、付着している土を確実に剥ぎ落とすことができる。反対に、それほど除去能力を高める必要がない場合には、第２のエッジ部と第１のエッジ部との距離（上記仮想線に沿う方向の距離）及び／又は第２のエッジ部とガイド部との距離（上記仮想線に沿う方向の距離）を広げることによって実現できる。これにより畦シートの振幅する角度が鈍角化し（より真っ直ぐな流れとなる）、エッジ部と畦シート表面との当接する圧力が下がるので巻取り抵抗が減少し、より迅速に畦シートを巻き取ることが可能となる。
【００１３】
また、請求項２に記載の本願発明は、請求項１に加えて、前記巻取部には、異幅の前記畦シートに対応するための巻取幅調整機構を備える。
【００１４】
これにより異なる幅の畦シートであってもそれぞれ正確な巻き取りが可能となる。即ち、巻取時に畦シートの一部が巻取軸方向に膨らんだり、巻取状態が崩れてしまうことがなく、巻き取り直しを未然に防止することができる。
【００１５】
また、請求項３に記載の本願発明は、請求項１又は２に加えて、前記ガイド部には、異幅の前記畦シートに対応するためのガイド幅調整機構を備える。
【００１６】
これにより、異なる幅の畦シートであってもそれぞれ正確に畦シートをエッジ部に案内することが可能となる。
【００１７】
また、請求項４に記載の本願発明は、請求項１〜３のいずれかに加えて、前記第１のエッジ部及び／又は前記第２のエッジ部がＬ字型アングル部材で構成され、当該Ｌ字型アングル部材の両側端面の厚みが異なるように形成されていることを特徴とする。
【００１８】
即ち、鋭利なエッジ部とそうでないエッジ部とを一つのＬ字型アングル部材に形成しておき、必要に応じて両者を切り替えることによって、畦シートの状態により柔軟に対応することができる。
【００１９】
また、請求項５に記載の本願発明は、上記発明を異なる観点から捉えた発明であって、ベースフレーム上に軸支された中空パイプと、当該中空パイプの一端に取り付けられたクランクハンドルと、前記中空パイプの一端側に固定された第１の規制板と、前記中空パイプの他端側に取り外し可能に固定された第２の規制板と、前記中空パイプの長手方向に当該中空パイプの内外を貫通するように且つ前記中空パイプの他端側に開口するように形成された畦シート挟み込みスリットと、前記ベースフレームに連結され畦シートの上流側に向かって斜め上方に平行に配置された２本のサブフレームと、当該２本のサブフレームに当該サブフレームの長手方向にスライド可能に架設された第１のエッジ部と、前記２本のサブフレームに且つ前記第１のエッジ部よりも上流側に固定架設された第２のエッジ部と、前記２本のサブフレームに且つ前記第２のエッジ部よりも更に上流側に当該サブフレームの長手方向にスライド可能に架設されたガイド部と、を備えることを特徴とする畦シート巻取装置である。
【００２０】
なお、本明細書及び特許請求の範囲において「上流」、「下流」とは、巻き取る畦シートの流れのことを意味し、上流側から下流側に向かって畦シートが移動しながら巻き取られる。
【発明の効果】
【００２１】
本発明を適用することで、畦シートの巻取りを迅速且つ容易とすると共に、畦シートの状況（土の付着状況や畦シート自体の厚み・硬さ等）に応じて土除去能力を調整できるようになる。また、畦シートの再利用が簡便となるため、畦シートの使い捨てが減り、資源保護にも貢献できる。
【図面の簡単な説明】
【００２２】
【図１】本発明に係る畦シート巻取装置の全体斜視図である。
【図２】（ａ）が巻取部の分解図、（ｂ）がＢ−Ｂ線に沿う端面図である。
【図３】畦シート巻取装置の全体断面図である。
【図４】畦シートを巻き取っている状態を示した全体斜視図である。
【図５】畦シート巻取装置内を流れる畦シートと各エッジ部及びガイド部との位置関係を模式的に示した図である。
【図６】エッジ部の断面図である。
【発明を実施するための形態】
【００２３】
以下、添付図面を参照しつつ、本発明の実施形態の一例である畦シート巻取装置について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２４】
〈畦シート巻取装置の構成〉
本発明の実施形態の一例である畦シート巻取装置１００は、巻取部１０２と土除去部１０４とで構成されている。材質はスチール製であり、主にＬ字型のアングル部材が溶接されて構成される。
【００２５】
巻取り部１０２は、側面視略台形のベースフレーム１１０と、当該ベースフレーム１１０上に固定された軸受部１１６と、当該軸受部１１６に軸支される中空の回転軸１２０を有してなる。
【００２６】
ベースフレーム１１０は、２つの台形フレームが手前−奥方向に２つ配置されていて、当該台形フレームを２本のＬ字型アングル部材で連結した構成とされている。
【００２７】
台形のベースフレーム１１０の上底部分には、半円状の凹部を備えた軸受部１１６が設置固定されており、当該軸受部１１６上に中空の回転軸１２０が回転可能に軸支されている。この回転軸１２０の一端（図１において手前側）には、クランクハンドル１２６が溶接固定されており、当該クランクハンドル１２６を回すことで回転軸１２０を回転させることが可能となっている。
【００２８】
回転軸１２０の両端近傍には、それぞれ、円盤型の規制板（第１規制板１２２、第２規制板１２４）が設けられていて、巻き取った畦シートの巻き崩れを防止している。各規制板１２２、１２４の中央には回転軸１２０を挿通可能な貫通孔が設けられている。またこの貫通孔と連通する態様で、各規制板１２２、１２４の中央外側には回転軸取り付けアダプタ１２２ｂ、１２４ｂが溶接固定されていて、これらの回転軸取り付けアダプタ１２２ｂ、１２４ｂを介して規制板１２２、１２４が、回転軸１２０にボルトナット１２３、１２５で着脱自在に固定されている。またそれぞれの規制板１２２、１２４の中央内側には、テーパ状に形成された過巻防止カラー１２２ａ、１２４ａが備わっている。
【００２９】
また、回転軸１２０は中空に構成されると共に、第２の規制板１２４の取り付け側に向かって開口するようにスリット１２０ａが形成されている。このスリット１２０ａは、巻き取ろうとする畦シートの一端を挿入して挟み込み、回転軸１２０に一時的に固定するためのスリットである。また前述した各過巻防止カラー１２２ａ、１２４ａにも、取付時、当該回転軸１２０のスリット１２０ａと同じ位置となるようにスリット１２２ｃ、１２４ｃが形成されている。畦シートの巻き取り完了後は、第２規制板１２４を回転軸１２０から取り外し、スリット１２０ａの開口方向に巻き取った畦シート全体をスライドさせて取り外すことが可能な構成とされている。
【００３０】
また軸受部１１６の上方には、当該軸受部１１６から回転軸１２０が脱落しないように回転軸カバー１１８が設けられている。この回転軸カバー１１８はネジにより固定されていて、当該ネジを緩めて回転軸カバー１１８を取り外すと、回転軸１２０全体をベースフレーム１１０から取り外すことが可能に構成されている。
【００３１】
一方、土除去部１０４は、前記ベースフレーム１１０の足下付近に溶接されたサブフレーム１４０を基台として構成されている。当該サブフレーム１４０は、斜め且つ平行に配置された２本のＬ字型アングル部材よりなる。サブフフレームの途中にはサブフレーム支持脚１４４が設けられている。
【００３２】
サブフレーム１４０には、下流側から順に、第１のエッジフレーム１５０、第２のエッジフレーム１５２、ガイド部１５３が設けられている。
【００３３】
第１のエッジフレーム１５０は、Ｌ字型のアングル部材で構成され、サブフレーム１４０に立設されたスライド枠１４２を介して固定されている。この第１のエッジフレーム１５０のうちサイドフレーム１４０と平行に延在する側の端面が第１のエッジ部１５０ａであり（図３参照）、当該第１のエッジ部１５０ａに畦シートの一方面（裏面：下面）が接触する。このスライド枠１４２には、サブフレーム１４０の長手方向に沿ってスライド用長孔１４２ａが形成されている。第１のエッジ部１５０は、その両端部で蝶ネジ１５１を介して当該スライド枠１４２に固定されている。即ち、スライド用長孔１４２ａが形成されている範囲内で、サブフレーム１４０の長手方向の所望の位置に、第１のエッジ部１５０を位置決め固定することが可能とされている（調整機構）。
【００３４】
第２のエッジ部１５２は、Ｌ字型のアングル部材で構成され、丁度サブフレーム支持脚１４４の位置に直接サブフレーム１４０に対して溶接されて固定されている。この第２のエッジフレーム１５２のうちサイドフレーム１４０と直交する方向に延在する側の端面が第２のエッジ部１５２ａであり（図３参照）、当該第２のエッジ部１５２ａに畦シートの他方面（表面：上面）が接触する。
【００３５】
ガイド部１５３は、ガイドフレーム１５４と当該ガイドフレーム１５４に取り付けられたガイドフィン１５６とからなる。ガイドフレーム１５４は、Ｌ字型のアングル部材で構成され、サブフレーム１４０の先端（上流端）近傍に設けられたスライド用長孔１４２ｂに蝶ネジ１５５で固定されている。即ち、スライド用長孔１４２ｂが形成されている範囲内で、サブフレーム１４０の長手方向の所望の位置に、ガイド部１５３を位置決め固定することが可能とされている（調整機構）。ガイドフィン１５６は、ガイドフレーム１５４の両端近傍にそれぞれ１つずつ設けられている（合計２つ）。これら２つのガイドフィン１５６の間隔は巻き取ろうとする畦シートが収まる程度の間隔とされ、更に上流側が幅方向に広がるようにテーパ状に折り曲げられている。
【００３６】
このような構成となっていることから、回転軸１２０（の上面）とガイド部１５３（のガイドフレーム１５４の上面）とを結ぶ仮想線ＶＬを基準とすると、当該仮想線ＶＬから垂直方向に異なる位置（Ｈ１、Ｈ２）に第１のエッジ部１５０ａと第２のエッジ部１５２ａが位置し、畦シート２００を上下に振幅（蛇行）させることが可能な構成となっている（図５参照）。
【００３７】
〈畦シート巻取装置の作用・機能〉
畦から取り出した畦シート２００を巻き取る場合、この畦シート２００の一端を、土除去部１０４を通した上で、回転軸１２０に形成されたスリット１２０ａに挿入して係止させ、クランクハンドル１２６を回転させる。これにより畦シート２００の表面及び裏面に付着した土が土除去部１０４によって除去されつつ、巻き取られる。
【００３８】
畦シート２００の土除去部１０４への取り付けは、次のように行う（図３参照）。最初に、畦シート２００を２つのガイドフィン１５６の間に位置決めし、ガイドフレーム１５４の上側に沿わせる。次に、畦シート２００を第２のエッジフレーム１５２の下側に回し込む。即ち、ガイドフレーム１５４と第２のエッジフレーム１５２の間を通して第２のガイドフレーム１５２の下側に回し込む。続いて第２のエッジフレーム１５２と第１のエッジフレーム１５０の間を通して上方に引き上げ、そのまま回転軸１２０のスリット１２０ａに挿入して係止させる。要するに、畦シート２００が、ガイドフレーム１５４、第２のエッジフレーム１５２及び第１のエッジフレーム１５０を互い違いに上下に蛇行するように通すのである。
【００３９】
この状態でクランクハンドル１５６を回転させて畦シート２００を巻き取ると、これにより畦シート２００が長手方向に引っ張られて緊張する。この畦シート２００の緊張により畦シート２００の表面（上面）が第２のエッジフレーム１５２の第２のエッジ部１５２ａに接触する。同様に、畦シート２００の裏面（下面）が第１のエッジフレーム１５０の第１のエッジ部１５０ａに接触する。この接触により、畦シート２００に付着した土が（両面とも）綺麗に剥ぎ落とされてゆく。
【００４０】
また、第１のエッジフレーム１５０とガイドフレーム１５４は、いずれもサブフレーム１４０の長手方向にスライドさせて位置を調整することが可能（蝶ネジ１５１，１５５を緩めて調整可能）とされているので、この位置を調整することによって、土の除去能力を調整することができる。即ち、土の除去能力を高めたい場合には、第２のエッジフレーム１５２（第２のエッジ部１５２ａ）と第１のエッジフレーム１５０（第１のエッジ部１５０ａ）との距離（仮想線LVに沿う方向の距離）及び／又は第２のエッジフレーム１５２（第２のエッジ部１５２ａ）とガイドフレーム１５４（ガイド部１５３）との距離（仮想線ＶＬに沿う方向の距離）を縮めることによって実現できる。要するにガイド部１５３から巻取部１０２に至るまでの畦シート２００の流れに振幅を持たせその振幅する角度を鋭角化することによって各エッジ部１５０ａ、１５２ａと畦シート２００との接触する圧力を上げ、付着している土を確実に剥ぎ落とすことができる。反対に、それほど除去能力を高める必要がない場合には、第２のエッジフレーム１５２（第２のエッジ部１５２ａ）と第１のエッジフレーム１５０（第１のエッジ部１５０ａ）との距離（仮想線ＶＬに沿う方向の距離）及び／又は第２のエッジフレーム１５２（第２のエッジ部１５２ａ）とガイドフレーム１５４（ガイド部１５３）との距離（仮想線ＶＬに沿う方向の距離）を広げることによって実現できる。これにより畦シート２００の振幅する角度が鈍角化し（より真っ直ぐな流れとなる）、各エッジ部１５０ａ、１５２ａと畦シート２００との接触する圧力が下がるので巻き取り抵抗が減少し、より迅速に畦シート２００を巻き取ることが可能となる。
【００４１】
巻き取り完了後は、第２規制板１２４を中空軸１２０から取り外して、巻き取られた畦シート２００を軸方向にスライドさせて抜き取る。この時、第１第２規制板１２２、１２４の中央内側に取り付けられたテーパ状の過巻防止カラー１２２ａ、１２４ａが存在しているので、畦シート２００が過剰に回転軸１２０に強く巻き付いてしまうことを防止している。即ち、過巻防止カラー１２２ａ、１２４ａのテーパの厚みの分だけ畦シート２００が（少なくとも過巻防止カラー１２２ａ、１２４ａが存在する部分においては）浮き上がった状態で巻き取られることによって、巻き取り完了後の畦シート２００の取り外しが容易となっている。
【００４２】
〈その他の構成例〉
上記では、第１、第２のエッジフレーム１５０、１５２のＬ字フレームの一方側の端面を利用してエッジ部１５０ａ、１５２ａを構成しているが、例えば図６に示しているように、Ｌ字フレームの端面を一方側Ｘと他方側Ｙとでそれぞれ異なる厚みに形成し、取り外して組み替え可能としてもよい。このように構成すれば、土除去能力についてより豊かなバリエーションを提供することができる。
【００４３】
また、上記では特定の幅の畦シートの巻き取りのみを想定した構成であるが、異なる幅の畦シートの巻き取りを一台で行えるように構成してもよい。例えば、第２規制板１２４の位置（回転軸１２０の軸方向位置）や片方のガイドフィン１５６の位置（ガイドフレーム１５４の長手方向の位置）を調整可能とすることで、容易に異幅の畦シートに対応することができる。
【００４４】
また、上記では平型の畦シート２００を巻き取ることを前提に説明しているが、調整機構（第２のエッジ部１５２と第１のエッジ部１５０との距離及び／又は第２のエッジ部１５４とガイド部１５３との距離）を調整することによって波形の畦シートに応用することも可能である。
【００４５】
また、本実施形態ではクランクハンドル１２６を利用した手動での巻き取りとされているが、モータ等を利用して電動で巻き取り可能な構成とすることも可能である。
【符号の説明】
【００４６】
１００…畦シート巻取装置
１０２…巻取部
１０４…土除去部
１１０…ベースフレーム
１１２…連結フレーム
１１６…軸受部
１１８…軸受カバー
１２０…回動軸
１２０ａ…スリット
１２２…第１規制板
１２２ａ、１２４ａ…過巻防止カラー
１２２ｂ、１２４ｂ…回転軸取り付けアダプタ
１２４…第２規制板
１２６…クランクハンドル
１４０…サブフレーム
１４２…スライド枠
１４２ａ、１４２ｂ…スライド用長孔
１４４…サブフレーム支持脚
１５０…第１のエッジフレーム
１５０ａ…第１のエッジ部
１５１、１５５…蝶ネジ
１５２…第２のエッジフレーム
１５２ａ…第２のエッジ部
１５３…ガイド部
１５４…ガイドフレーム
１５６…ガイドフィン
【要約】
【課題】  
畦シートの状況に応じて土除去能力を調整できるようにする。
【解決手段】
土除去部１０４を備えた畦シート巻取装置であって、土除去部１０４が、畦シート２００の一方面の土を剥ぎ取り除去する第１のエッジ部１５０ａと、第１のエッジ部１５０ａよりも上流側に配置されると共に畦シート２００の他方面の土を剥ぎ取り除去する第２のエッジ部１５２ａと、第２のエッジ部１５２ａよりも更に上流側に配置され畦シート２００をこれらエッジ部に案内するガイド部１５３を備え、第１第２のエッジ部１５０ａ、１５２ａが、ガイド部１５３と巻取部１０２を結ぶ仮想線ＶＬ上から垂直方向の異なる位置にそれぞれ位置決めされると共に、第２のエッジ部１５２ａに対するガイド部１５３の位置及び２のエッジ部１５２ａに対する第１のエッジ部１５０ａの位置を調整することができる調整機構を備える。
【選択図】図５【図１】
0004674773.tif 000002
【図２】
0004674773.tif 000003
【図３】
0004674773.tif 000004
【図４】
0004674773.tif 000005
【図５】
0004674773.tif 000006
【図６】
0004674773.tif 000007